(57)【要約】      （修正有）【課題】くさび緊結型仮設足場の梁間方向を、通行等の妨げになることなしに補強できる補強材を提供する。【解決手段】補強材は、支柱の各ソケットに打ち込んで固定保持される水平材４と、該水平材の長手方向の一端に揺動可能に連結され、梁間方向に配置された一方の支柱から他方の支柱に傾斜姿勢を維持して固定保持される斜材５とを備えたもので構成される。斜材は、一端５ａが、水平材の長手方向の一端に揺動可能に連結され、他端５ｂが自由端になる外筒５ｃと、該外筒にスライド可能に保持され、該外筒の自由端からの露出代を変更することによって該外筒を含めた斜材全体の長さを可変とする内筒５ｄからなるものとする。【選択図】図２
0003226733.tif 000002
【実用新案登録請求の範囲】
【請求項１】
複数本の支柱と、該支柱をくさび部材を介して梁間方向、桁行方向に相互に連結する複数本の横架材と、該横架材にフックを引っ掛けて固定保持され、その上面に歩行経路または作業床を形成する床付き布わくとを組み合わせることによって構成されたくさび緊結型仮設足場につき、そのくさび緊結型仮設足場を梁間方向において補強する補強材であって、
両端部にくさび部材を有し、該くさび部材を梁間方向に配置された支柱の各ソケットに打ち込んで固定保持される水平材と、該水平材につながり、梁間方向に配置された一方の支柱から他方の支柱に傾斜姿勢を維持して固定保持される斜材とを備え、
該斜材は、一端が、水平材の長手方向の一端に揺動可能に連結され、他端が自由端になる外筒と、該外筒にスライド可能に保持され、該外筒の自由端からの露出代を変更することによって該外筒を含めた斜材全体の長さを可変とする内筒からなり、
該内筒は、該外筒の自由端端から露出する露出先端部に、支柱のソケットに打ち込まれて斜材を該支柱に固定保持するくさび部材を有することを特徴とするくさび緊結型仮設足場の補強材。
【請求項２】
前記外筒は、該外筒を径方向に貫通する少なくとも１つの貫通孔を有し、
前記内筒は、該内筒を径方向に貫通するとともに該外筒の貫通孔と同等サイズになる貫通孔を長手方向に沿い複数有することを特徴とする請求項１に記載したくさび緊結型仮設足場の補強材。
【請求項３】
前記外筒は、揺動端の内壁において隆起する少なくとも１つの凸部を有し、前記内筒は、該外筒の内側に位置するスライド後端部に該凸部に突き当たって外筒からの抜け出しを防止する少なくとも１つの凸部を有することを特徴とする請求項１または２に記載したくさび緊結側仮設足場の補強材。
【請求項４】
前記外筒は、その内壁に該外筒の軸芯に沿う少なくとも一本の溝またはリブを有し、前記内筒の外表面には、該溝または該リブに適合するリブまたは溝を有することを特徴とする請求項１〜３のいずれか１項に記載したくさび緊結型仮設足場の補強材。
【請求項５】
前記水平材は、長手方向に沿う伸縮によりその長さの変更を可能とする伸縮可能部材からなることを特徴とする請求項１〜４のいずれか１項に記載したくさび緊結型仮設足場の補強材。
【考案の詳細な説明】
【技術分野】
【０００１】
本考案は、くさび緊結型仮設足場を、梁間方向において補強するのに有用な補強材に関するものである。
【背景技術】
【０００２】
くさび型緊結式仮設足場は、複数本の支柱と、該支柱をくさび部材を介して梁間方向、桁行方向に相互に連結する複数本の横架材と、該横架材にフックを引っ掛けて固定保持され、その上面に歩行経路や作業床を形成する床付き布わくとを組み合わせることによって構成されている。
【０００３】
かかるくさび緊結式仮設足場は、人が通行するのに使用されるだけでなく、建設資材を仮置きする場合や土木現場でコンクリート打設中の重量物を支える場合にも使用されるものであって、高い強度が要求されることがあり、通常は、桁行方向（人が通行する方向と平行な方向）に設置される支柱の相互間、梁間方向（桁行方向と直交する方向）に設置される支柱の相互間に適宜ブレースを取り付けることによって補強されている。
【０００４】
ところで、くさび緊結式仮設足場の桁行方向では、一定のスパン長さを有する横架材が使用されているのが普通であり、支柱相互間にブレースを取り付けても通行等の妨げになることはないものの、梁間方向では、様々なスパン長さを有する横架材が使用されることから、ブレースの取り付け位置によっては、通行等の妨げになることがあった。
【０００５】
この点に関する先行技術として特許文献１には、補強材を、直線状に延びる本体部と、該本体部に固定され、かつ、支柱の連結金具に取り付け可能な第１金具と、本体部の軸方向において第１金具から離れた位置において本体部に固定され、かつ、支柱の連結金具に取り付け可能な第２金具で構成し、本体部が支柱に並んで上下方向に延びるように、第１金具および第２金具で本体部を支柱に取り付けた構造のものが提案されている。
【０００６】
また、特許文献２には、２本の支柱の間に配置される水平部材と、この水平部材にそれぞれの上端部が結合され、該水平部材から互いに逆向きの斜め下向きに延びる２本の斜め部材と、を有し、水平部材の両端部に、横架材が架け渡されている２本の支柱に対して接続状態とされる第１接続部材を設けるとともに、２本の斜め部材のそれぞれの下端部に、横架材が架け渡されている２本の支柱に対して接続状態とされる第２接続部材を設けた構造のものが提案されている。
【先行技術文献】
【特許文献】
【０００７】
【特許文献１】特開２０１９−１０００７７号公報
【特許文献２】特開２０１６−１４１９５１号公報
【考案の概要】
【考案が解決しようとする課題】
【０００８】
上記特許文献１、２は、いずれにおいても通行の妨げを回避するという点においては、ある程度の改善効果は認められているものの、特許文献１の補強構造は、本体部が支柱に並んで上下に延びるように支柱に取り付けられており、特許文献２の補強構造は、斜め部材の長さが極端に短いことから、ブレースとしての機能を十分に発揮させることができるとはいえないものであって、未だ改善の余地が残されていた。
【０００９】
本考案の課題は、くさび緊結型仮設足場の梁間方向を、通行等の妨げになることなしに補強できる補強材を提案するところにある。
【課題を解決するための手段】
【００１０】
本考案は、複数本の支柱と、該支柱をくさび部材を介して梁間方向、桁行方向に相互に連結する複数本の横架材と、該横架材にフックを引っ掛けて固定保持され、その上面に歩行経路または作業床を形成する床付き布わくとを組み合わせることによって構成されたくさび緊結型仮設足場につき、そのくさび緊結型仮設足場を梁間方向において補強する補強材であって、
両端部にくさび部材を有し、該くさび部材を梁間方向に配置された支柱の各ソケットに打ち込んで固定保持される水平材と、該水平材につながり、梁間方向に配置された一方の支柱から他方の支柱に傾斜姿勢を維持して固定保持される斜材とを備え、
該斜材は、一端が、水平材の長手方向の一端に揺動可能に連結され、他端が自由端になる外筒と、該外筒にスライド可能に保持され、該外筒の自由端からの露出代を変更することによって該外筒を含めた斜材全体の長さを可変とする内筒からなり、
該内筒は、該外筒の自由端端から露出する露出先端部に、支柱のソケットに打ち込まれて斜材を該支柱に固定保持するくさび部材を有することを特徴とするくさび緊結型仮設足場の補強材である。
【００１１】
上記の構成からなる補強材において、前記外筒は、該外筒を径方向に貫通する少なくとも１つの貫通孔を有し、前記内筒は、該内筒を径方向に貫通するとともに該外筒の貫通孔と同等サイズになる貫通孔を長手方向に沿い複数有すること、また、前記外筒は、揺動端の内壁において隆起する少なくとも１つの凸部を有し、前記内筒は、該外筒の内側に位置するスライド後端部に該凸部に突き当たって外筒からの抜け出しを防止する少なくとも１つの凸部を有すること、また、前記外筒は、その内壁に該外筒の軸芯に沿う少なくとも一本の溝またはリブを有し、前記内筒の外表面には、該溝または該リブに適合するリブまたは溝を有すること、また、前記水平材は、長手方向に沿う伸縮によりその長さの変更を可能とする伸縮可能部材からなること、が課題解決のための具体的手段として好ましい。
【考案の効果】
【００１２】
本考案にしたがう補強材によれば、工事中等、くさび緊結型仮設足場に大きな荷重がかかっていない場合に、斜材を取り外すことができるので、梁間方向において補強を行っても通行の妨げになるのを回避することができる。
【００１３】
また、本考案によれば、斜材は、伸縮自在であるため、様々な幅寸法になる足場にも対応することができる。
【００１４】
また、本考案によれば、支柱の長手方向に沿って所定間隔で配置される横架材の相互間に水平材が位置するため、支柱の座屈長さを短縮でき、仮設足場の強度を高めることができる。
【図面の簡単な説明】
【００１５】
【図１】くさび緊結式仮設足場の一部分を模式的に示した外観斜視図である。
【図２】図１に示したくさび緊結型仮設足場に取り付け可能な本考案にしたがう補強材の実施の形態を示した図である。
【図３】本考案にしたがう補強材を、支柱１に取り付けてくさび緊結型仮設足場を梁間方向において補強した状態を正面について示した図である。
【図４】本考案にしたがう補強材の斜材を取り外して歩行等の妨げにならない状態を示した図である。
【図５】くさび緊結型仮設足場の梁間方向における支柱相互間の寸法を変更した状態を示した図である。
【図６】くさび緊結型仮設足場の梁間方向における支柱相互間の寸法を変更した状態を示した図である。
【図７】本考案にしたがう補強材の斜材の断面を示した図である。
【考案を実施するための形態】
【００１６】
以下、図面を参照して本考案をより具体的に説明する。
図１は、くさび緊結式仮設足場の一部分を模式的に示した外観斜視図であり、図２は、図１に示したくさび緊結式仮設足場に取り付け可能な本考案にしたがう補強材の実施の形態を示した図であり、図３は、本考案にしたがう補強材を、支柱１に取り付けてくさび緊結型仮設足場を梁間方向において補強した状態を正面について示した図である。
【００１７】
図１〜３における符号１は、長手方向、周方向に所定間隔をあけて設けられたソケット１ａを有する支柱、２は、支柱１を桁行方向、梁間方向において相互に連結する横架材である。横架材２は、その両端部にくさび部材２ａが備えられており、このくさび部材２ａを支柱１のソケット１ａに打ち込むことにより固定される。
【００１８】
また、符号３は、横架材２にフックｆを引っ掛けて固定保持され、その上面に歩行経路、作業床等を形成する床付き布わくであり、複数本の支柱１、横架材２および床付き布わく３を適宜組み合わせることによってくさび緊結型仮設足場が構成される。
【００１９】
また、４は、両端部にくさび部材４ａを有し、該くさび部材４ａを梁間方向に配置された支柱１の各ソケット１ａに打ち込むことにより固定保持される水平材であり、５は、水平材４につながる斜材である。水平材４と斜材５によって本考案にしたがう補強材が構成されている。
【００２０】
斜材５は、一端５ａが水平材４の長手方向の一端に枢軸を介して揺動可能に連結され、他端５ｂが自由端になる外筒５ｃと、該外筒５ｃからの露出代Ｌ１を変更することによって外筒５ｃを含めた斜材５の全体の長さＬを可変とする内筒５ｄからなるものであって、内筒５ｄの、外筒５cの自由端から露出する露出先端部には、支柱１のソケット１ａに打ち込まれて斜材５を支柱１に着脱自在に固定保持するくさび部材５ｅが備えられている。
【００２１】
また、符号６は、外筒５ｃを径方向において貫通するように設けられた貫通孔、７は、内筒５ｄを径方向において貫通するとともに貫通孔６と同等サイズになる貫通孔である。貫通孔７は、内筒５ｄの長手方向に間隔をおいて複数設けられており、貫通孔７を適宜貫通孔６に適合させ、そこにピンを挿入することによって一定の長さに保持することができるようになっている。
【００２２】
また、符号８は、外筒５ｃの揺動端の内側において隆起する、例えば、９０°間隔で４本配置された凸部、９は、内筒５ｄの、スライド後端部５ｄ１に設けられた凸部である。内筒５ｄが外筒５ｃでスライドしても内筒５ｄの凸部９が外筒５ｃの凸部８に突き当たることにより内筒５ｄは、外筒５ｃから抜け出さないようになっている。凸部８はリブ状の凸部として、また凸部９は、内筒５ｄの端部を拡管したものを例として示したが、これら凸部８、９は、図示のものに限定されない。
【００２３】
本考案にしたがう補強材は、斜材５の長さを長くした状態で支柱１に取り付けることができるためブレースとしての機能をより有効に発揮させることが可能で補強効果が高く、くさび緊結型仮設足場に大きな荷重がかかっていない場合には、図４に示すように、斜材５を支柱１から取り外すことができるため、床付き布わく３の上での歩行等が妨げられることはない。
【００２４】
また、水平材４を取り付けることにより、横架材２の相互間隔で規定される座屈長さlが短縮されるため、くさび緊結型仮設足場の座屈強度が高められる利点もある。
【００２５】
水平材４としては、斜材５と同様に、伸縮できる構造としてもよい。
【００２６】
図５、図６は、梁間方向の支柱１の相互間隔Ｗを、例えば、１２１９ｍｍとした図３、図４に示す状態から、９１４ｍｍあるいは６１０ｍｍへと変更したくさび緊結型仮設足場を示した図である。本考案にしたがう補強材の斜材５は、伸縮構造からなっているため、支柱１の相互間隔が変更されたくさび緊結仮設足場であっても、同じ部材を使用することが可能であり、使用部材の兼用化を図ることができる。
【００２７】
内筒５ｄは、基本的には、外筒５ｃの内側でその軸心を中心にして回動自在であることから、補強材を取り付けるに当たっては、内筒５ｄを回動させて貫通孔６、７同士を合致させる面倒な作業が必要になる。このため、図７に示すように外筒５ｃの内壁には、該外筒５ｃの軸芯に沿う少なくとも１本の溝またはリブ５ｃ１を設け、内筒５ｄの外表面に、該溝またはリブ５ｃ１に適合するリブまたは溝５ｄ２を設けて、内筒５ｄが外筒５ｃの内側で回動するのを規制するのが好ましく、これにより、内筒５ｄを回動させて貫通孔６、７同士の位置合わせを行う面倒な作業が不要となり、補強材の取り付け作業の効率化を図ることができる。
【００２８】
外径：４８．６ｍｍ、肉厚：２．０ｍｍ、断面二次半径ｉ：１．６５ｃｍ、断面二次モーメントＩ：７．６１ｃｍ４、引張強度Ｆ：７１０Ｎ／ｍｍ２、降伏点：５７０Ｎ／ｍｍ２、縦弾性係数Ｅ：２．１×１０４ＫＮ／ｃｍ２になる支柱１において、座屈長さｌが１８００ｍｍの場合（支柱１の長さ方向において配置された横架材の相互間寸法）、その細長比λａは、λａ＝ｌ／ｉ＝１８０／１．６５＝１０９．１であり、補強材を設けたことにより座屈長さｌが１３５０のｍｍの場合（水平材から横架材に至るまでの寸法）、その細長比λｂは、λｂ＝ｌ／ｉ＝１３５／１．６５＝８１．８であり、限界細長比∧は、∧＝（π２・ＥＩ／０．６Ｆ）−１／２＝７８となる。
【００２９】
∧＜λａ、∧＜λｂから座屈長さlが１８００ｍｍ、１３５０ｍｍのいずれの場合もオイラー式が成り立つ。そこでオイラー式によりそれぞれの支柱１本当たりの座屈荷重を計算すると、座屈長さｌが１８００ｍｍのとき、Ｐａ＝π２・ＥＩ／ｌ２＝π２・Ｅ×７．６１／１８０２＝４８．６ＫＮ、また、座屈長さｌが１３５０ｍｍのとき、Ｐｂ＝π２・ＥＩ／ｌ２＝π２・Ｅ×７．６１／１３５２＝８６．５ＫＮとなり、Ｐａ／Ｐｂ＝１．７８であって、本考案にしたがう補強材を取り付けることによって理論上、座屈強度が１．７８倍程度高まることになる。
【産業上の利用可能性】
【００３０】
本考案によれば、くさび緊結型仮設足場の梁間方向を、通行等の妨げになることなしに補強できる補強材が提供できる。
【符号の説明】
【００３１】
１      支柱
１ａ    ソケット
２      横架材
２ａ    くさび部材
３      床付き布わく
４      水平材
４ａ    くさび部材
５      斜材
５ａ    一端
５ｂ    他端
５ｃ    外筒
５ｄ    内筒
５ｅ    くさび部材
６      貫通孔
７      貫通孔
８      凸部
９      凸部
【図１】
0003226733.tif 000003
【図２】
0003226733.tif 000004
【図３】
0003226733.tif 000005
【図４】
0003226733.tif 000006
【図５】
0003226733.tif 000007
【図６】
0003226733.tif 000008
【図７】
0003226733.tif 000009
【手続補正書】
【提出日】令和2年4月2日(2020.4.2)
【手続補正１】
【補正対象書類名】実用新案登録請求の範囲
【補正対象項目名】全文
【補正方法】変更
【補正の内容】
【実用新案登録請求の範囲】
【請求項１】
複数本の支柱と、該支柱をくさび部材を介して梁間方向、桁行方向に相互に連結する複数本の横架材と、該横架材にフックを引っ掛けて固定保持され、その上面に歩行経路または作業床を形成する床付き布わくとを組み合わせることによって構成されたくさび緊結型仮設足場につき、そのくさび緊結型仮設足場を梁間方向において補強する補強材であって、
両端部にくさび部材を有し、該くさび部材を梁間方向に配置された支柱の各ソケットに打ち込んで固定保持される水平材と、該水平材につながり、梁間方向に配置された一方の支柱から他方の支柱に傾斜姿勢を維持して固定保持される斜材とを備え、
該斜材は、一端が、水平材の長手方向の一端に連結され、他端が自由端になる外筒と、該外筒に保持され、該外筒の自由端からの露出代を変更することによって該外筒を含めた斜材全体の長さを可変とする内筒からなり、
該内筒は、該外筒の自由端端から露出する露出先端部に、支柱のソケットに打ち込まれて斜材を該支柱に固定保持するくさび部材を有することを特徴とするくさび緊結型仮設足場の補強材。
【請求項２】
前記外筒は、該外筒を径方向に貫通する少なくとも１つの貫通孔を有し、
前記内筒は、該内筒を径方向に貫通するとともに該外筒の貫通孔と同等サイズになる貫通孔を長手方向に沿い複数有することを特徴とする請求項１に記載したくさび緊結型仮設足場の補強材。  
【請求項３】
前記外筒は、揺動端の内壁において隆起する少なくとも１つの凸部を有し、前記内筒は、該外筒の内側に位置するスライド後端部に該凸部に突き当たって外筒からの抜け出しを防止する少なくとも１つの凸部を有することを特徴とする請求項１または２に記載したくさび緊結側仮設足場の補強材。
【請求項４】
前記外筒は、その内壁に該外筒の軸芯に沿う少なくとも一本の溝またはリブを有し、前記内筒の外表面には、該溝または該リブに適合するリブまたは溝を有することを特徴とする請求項３に記載したくさび緊結型仮設足場の補強材。
【請求項５】
前記水平材は、外筒と、該外筒に保持され、該外筒からの露出代を変更することによって該外筒を含めた水平材全体の長さを可変とする内筒からなることを特徴とする請求項１〜４のいずれか１項に記載したくさび緊結型仮設足場の補強材。
【手続補正２】
【補正対象書類名】明細書
【補正対象項目名】００１０
【補正方法】変更
【補正の内容】
【００１０】
本考案は、複数本の支柱と、該支柱をくさび部材を介して梁間方向、桁行方向に相互に連結する複数本の横架材と、該横架材にフックを引っ掛けて固定保持され、その上面に歩行経路または作業床を形成する床付き布わくとを組み合わせることによって構成されたくさび緊結型仮設足場につき、そのくさび緊結型仮設足場を梁間方向において補強する補強材であって、
両端部にくさび部材を有し、該くさび部材を梁間方向に配置された支柱の各ソケットに打ち込んで固定保持される水平材と、該水平材につながり、梁間方向に配置された一方の支柱から他方の支柱に傾斜姿勢を維持して固定保持される斜材とを備え、
該斜材は、一端が、水平材の長手方向の一端に連結され、他端が自由端になる外筒と、該外筒に保持され、該外筒の自由端からの露出代を変更することによって該外筒を含めた斜材全体の長さを可変とする内筒からなり、
該内筒は、該外筒の自由端端から露出する露出先端部に、支柱のソケットに打ち込まれて斜材を該支柱に固定保持するくさび部材を有することを特徴とするくさび緊結型仮設足場の補強材である。
【手続補正３】
【補正対象書類名】明細書
【補正対象項目名】００１１
【補正方法】変更
【補正の内容】
【００１１】
上記の構成からなる補強材において、前記外筒は、該外筒を径方向に貫通する少なくとも１つの貫通孔を有し、前記内筒は、該内筒を径方向に貫通するとともに該外筒の貫通孔と同等サイズになる貫通孔を長手方向に沿い複数有すること、また、前記外筒は、揺動端の内壁において隆起する少なくとも１つの凸部を有し、前記内筒は、該外筒の内側に位置するスライド後端部に該凸部に突き当たって外筒からの抜け出しを防止する少なくとも１つの凸部を有すること、また、前記外筒は、その内壁に該外筒の軸芯に沿う少なくとも一本の溝またはリブを有し、前記内筒の外表面には、該溝または該リブに適合するリブまたは溝を有すること、また、前記水平材は、外筒と、該外筒に保持され、該外筒からの露出代を変更することによって該外筒を含めた水平材全体の長さを可変とする内筒からなること、が課題解決のための具体的手段として好ましい。